(57)【要約】【課題】  改竄判定処理の処理効率を向上した画像読取装置を提供する。【解決手段】  元文書の文書画像データの格納先情報が一体として埋め込まれた判定対象文書の改竄の有無を判定する画像読取装置において、前記元文書の文書画像データを格納する記憶手段と、前記判定対象文書を前記格納先情報と共に読取る読取手段と、前記読取手段にて読取った格納先の元文書の文書画像データ及び前記判定対象文書の文書画像データに対して判定処理に必要な画像処理を行う画像処理手段と、前記画像処理手段にて画像処理を行った元文書の文書画像データと前記判定対象文書の文書画像データとを比較して、前記判定対象文書の改竄の有無を判定する判定手段と、を備えた。【選択図】  図１
2006237868.tif 000002
【特許請求の範囲】
【請求項１】
元文書の文書画像データの格納先情報が一体として埋め込まれた判定対象文書の改竄の有無を判定する画像読取装置において、
前記元文書の文書画像データを格納する記憶手段と、
前記判定対象文書を前記格納先情報と共に読取る読取手段と、
前記読取手段にて読取った格納先の元文書の文書画像データ及び前記判定対象文書の文書画像データに対して判定処理に必要な画像処理を行う画像処理手段と、
前記画像処理手段にて画像処理を行った元文書の文書画像データと前記判定対象文書の文書画像データとを比較して、前記判定対象文書の改竄の有無を判定する判定手段と、
を備えたことを特徴とする画像読取装置。
【請求項２】
前記判定対象文書の文書画像データの向き情報が一体として埋め込まれた前記判定対象文書を読取る前記読取手段と、
前記判定処理に必要な画像処理として、前記読取手段にて読取った格納先の元文書の文書画像データを前記読取手段にて読取った向きに一致するまで回転させる画像処理を行う前記画像処理手段とを備えた請求項１記載の画像読取装置。
【請求項３】
前記判定処理に必要な画像処理として、２値化する画像処理を行う前記画像処理手段を備えた請求項１又は２記載の画像読取装置。
【請求項４】
前記格納先情報は、ＩＣタグ、バーコード、二次元コード、電子透かしのいずれかにて、前記判定対象文書に一体として埋め込まれている情報である請求項１、２又は３記載の画像読取装置。
【請求項５】
前記向き情報は、ＩＣタグ、バーコード、二次元コード、電子透かしのいずれかにて、前記判定対象文書に一体として埋め込まれている情報である請求項１、２、３又は４記載の画像読取装置。
【請求項６】
元文書の文書画像データの格納先情報が一体として埋め込まれた判定対象文書の改竄の有無を判定する画像読取システムにおいて、
前記元文書の文書画像データを格納する記憶手段を備えたサーバと、
前記判定対象文書を前記格納先情報と共に読取る読取手段と、
前記読取手段にて読取った格納先の元文書の文書画像データ及び前記判定対象文書の文書画像データに対して判定処理に必要な画像処理を行う画像処理手段と、
前記画像処理手段にて画像処理を行った元文書の文書画像データと前記判定対象文書の文書画像データとを比較して、前記判定対象文書の改竄の有無を判定する判定手段とを備えた画像読取装置と、
を備えたことを特徴とする画像読取システム。
【請求項７】
前記判定対象文書の文書画像データの向き情報が一体として埋め込まれた前記判定対象文書を読取る前記読取手段と、
前記判定処理に必要な画像処理として、前記読取手段にて読取った格納先の元文書の文書画像データを前記読取手段にて読取った向きに一致するまで回転させる画像処理を行う前記画像処理手段とを備えた請求項６記載の画像読取システム。
【請求項８】
前記判定処理に必要な画像処理として、２値化する画像処理を行う前記画像処理手段を備えた請求項６又は７記載の画像読取システム。
【請求項９】
前記格納先情報は、ＩＣタグ、バーコード、二次元コード、電子透かしのいずれかにて、前記判定対象文書に一体として埋め込まれている情報である請求項６、７又は８記載の画像読取システム。
【請求項１０】
前記向き情報は、ＩＣタグ、バーコード、二次元コード、電子透かしのいずれかにて、前記判定対象文書に一体として埋め込まれている情報である請求項６、７、８又は９記載の画像読取システム。
【発明の詳細な説明】
【技術分野】
【０００１】
本発明は、画像読取装置に関し、特に文書等の改竄を判定できる画像読取装置及び画像読取システムに関する。
【背景技術】
【０００２】
印刷された文書が住民票、印鑑証明書、領収書、請求書等の重要文書であって、印刷媒体が普通紙であるような場合、例えば、氏名、住所、金額、日付等の文字領域を修正液等で消去して文書を改竄し、正式な文書として提出するような不正行為が考えられる。
【０００３】
従来より、文書の改竄を判定できる改竄判定システムとして、文書画像出力装置、及び改竄判定装置からなる以下のような技術が提案されている。
【０００４】
文書画像出力装置は、元文書の画像特徴情報をデータ化し、このデータに基づいて生成した暗号鍵を用いて隠し情報（例えば、その文書に対する署名情報等）を暗号化し、当該暗号化情報を一体として埋め込んだ文書を出力する。
【０００５】
一方、改竄判定装置は、暗号化情報が一体として埋め込まれた判定対象文書を読取り、読取った画像データから画像特徴情報をデータとして抽出する。
【０００６】
上記抽出したデータに基づいて暗号鍵を生成し、当該生成した暗号鍵を用いて、判定対象文書に埋め込まれた暗号化情報を復号化する。
【０００７】
上記復号化して得られた隠し情報が欠落等によって無意味な情報となっている場合、改竄が行われたと判定する（特許文献１参照）。
【特許文献１】特開２００３−２６４６８５号公報
【発明の開示】
【発明が解決しようとする課題】
【０００８】
しかしながら、上述した従来の技術において、改竄判定装置は、判定対象文書を読取るが、読取り時の位置ずれや読取りの向きが異なるために、抽出される画像特徴データは、本来抽出されるべき向きのデータとならない場合がある。
【０００９】
このため、抽出された画像データを本来抽出されるべき向きになるまで回転させる必要がある。この本来抽出されるべき向きになるまでの過程において、回転させる度に暗号鍵を生成し、当該生成した暗号鍵を用いて、判定対象文書に埋め込まれた暗号化情報をその都度復号化して判定する必要がある。
【００１０】
この回転させながら復号化して判定する処理は複雑であるため、処理負担が大きく、処理に要する時間が多大なものとなり、改竄判定処理の処理効率が非常に悪いものとなっていた。
【００１１】
そこで、本発明は、上記問題に鑑み、改竄判定処理の処理効率を向上した画像読取装置及び画像読取システムを提供することを目的とする。
【課題を解決するための手段】
【００１２】
本発明は、元文書の文書画像データの格納先情報が一体として埋め込まれた判定対象文書の改竄の有無を判定する画像読取装置を前提としている。
【００１３】
本発明は、前記元文書の文書画像データを格納する記憶手段と、前記判定対象文書を前記格納先情報と共に読取る読取手段と、前記読取手段にて読取った格納先の元文書の文書画像データ及び前記判定対象文書の文書画像データに対して判定処理に必要な画像処理を行う画像処理手段と、前記画像処理手段にて画像処理を行った元文書の文書画像データと前記判定対象文書の文書画像データとを比較して、前記判定対象文書の改竄の有無を判定する判定手段とを備えた構成としている。
【００１４】
このようにすれば、判定対象文書に一体として埋め込まれた格納先の元文書の文書画像データと当該判定対象文書の文書画像データとを比較して、改竄の有無を判定する簡易な構成であるため、改竄判定処理の処理効率を向上させることができる。
【００１５】
また、前記画像読取装置は、前記判定対象文書の文書画像データの向き情報が一体として埋め込まれた前記判定対象文書を読取る前記読取手段と、前記判定処理に必要な画像処理として、前記読取手段にて読取った格納先の元文書の文書画像データを前記読取手段にて読取った向きに一致するまで回転させる画像処理を行う前記画像処理手段とを備えた構成としてもよい。
【００１６】
このようにすれば、向き情報に基づいて判定対象文書に対応する元文書の文書画像データと当該判定対象文書の文書画像データの向きを一致させることで、改竄判定処理の演算量を軽減できるため、改竄判定処理の処理効率をより向上させることができる。
【００１７】
また、前記画像読取装置は、前記判定処理に必要な画像処理として、２値化する画像処理を行う前記画像処理手段を備えた構成としてもよい。
【００１８】
このようにすれば、比較データを２値化することで、改竄判定処理の演算量を軽減できるため、改竄判定処理の処理効率をさらに向上させることができる。
【００１９】
なお、前記格納先情報、前記向き情報は、ＩＣタグ、バーコード、二次元コード、電子透かしのいずれかにて、前記判定対象文書に一体として埋め込まれている情報である構成としてもよい。
【００２０】
また、元文書の文書画像データの格納先情報が一体として埋め込まれた判定対象文書の改竄の有無を判定する画像読取システムにおいて、前記元文書の文書画像データを格納する記憶手段を備えたサーバと、前記判定対象文書を前記格納先情報と共に読取る読取手段と、前記読取手段にて読取った格納先の元文書の文書画像データ及び前記判定対象文書の文書画像データに対して判定処理に必要な画像処理を行う画像処理手段と、前記画像処理手段にて画像処理を行った元文書の文書画像データと前記判定対象文書の文書画像データとを比較して、前記判定対象文書の改竄の有無を判定する判定手段とを備えた画像読取装置とを備えた構成としてもよい。
【００２１】
このようにすれば、判定対象文書に一体として埋め込まれた格納先の元文書の文書画像データと当該判定対象文書の文書画像データとを比較して、改竄の有無を判定する簡易な構成であるため、改竄判定処理の処理効率を向上させることができる。
【００２２】
また、前記画像読取システムは、前記判定対象文書の文書画像データの向き情報が一体として埋め込まれた前記判定対象文書を読取る前記読取手段と、前記判定処理に必要な画像処理として、前記読取手段にて読取った格納先の元文書の文書画像データを前記読取手段にて読取った向きに一致するまで回転させる画像処理を行う前記画像処理手段とを備えた構成としてもよい。
【００２３】
このようにすれば、向き情報に基づいて判定対象文書に対応する元文書の文書画像データと当該判定対象文書の文書画像データの向きを一致させることで、改竄判定処理の演算量を軽減できるため、改竄判定処理の処理効率をより向上させることができる。
【００２４】
また、前記画像読取システムは、前記判定処理に必要な画像処理として、２値化する画像処理を行う前記画像処理手段を備えた構成としてもよい。
【００２５】
このようにすれば、比較データを２値化することで、改竄判定処理の演算量を軽減できるため、改竄判定処理の処理効率をさらに向上させることができる。
【００２６】
なお、前記格納先情報、前記向き情報は、ＩＣタグ、バーコード、二次元コード、電子透かしのいずれかにて、前記判定対象文書に一体として埋め込まれている情報である構成としてもよい。
【発明の効果】
【００２７】
判定対象文書に一体として埋め込まれた格納先の元文書の文書画像データと当該判定対象文書の文書画像データとを比較して、改竄の有無を判定する簡易な構成であるため、改竄判定処理の処理効率を向上させることができる。
【００２８】
また、向き情報に基づいて判定対象文書に対応する元文書の文書画像データと当該判定対象文書の文書画像データの向きを一致させることで、改竄判定処理の演算量を軽減できるため、改竄判定処理の処理効率をより向上させることができる。
【００２９】
また、比較データを２値化することで、改竄判定処理の演算量を軽減できるため、改竄判定処理の処理効率をさらに向上させることができる。
【発明を実施するための最良の形態】
【００３０】
以下、本発明の実施の形態を図面にしたがって詳細に説明する。
【００３１】
図１は、本発明の実施の形態における画像読取システムを示す概略機能ブロック図であり、図２は、本発明の実施の形態における画像読取システムの動作を示すフロー図である。
【００３２】
本発明の実施の形態における画像読取システムは、画像読取装置１がネットワークを介してサーバ２に接続されており、文書の改竄の有無を判定するシステムを構成している。
【００３３】
改竄の有無の判定対象文書の例としては、文書の４隅にＩＣタグ３が一体として埋め込まれている電子シート４に印刷された住民票、印鑑証明書、領収書、請求書等の重要文書がある。なお、ＩＣタグ３は、４箇所に埋め込まれている場合に限らず、１箇所、或いはその他複数箇所であってもよい。
【００３４】
図３に示すような請求書、すなわち、判定対象文書は、上記電子シート４の印刷面にサーバ２内に格納された元文書の文書画像データが印刷されると共に、ＩＣライタにより、４つのＩＣタグ３に下記の電子データが書き込まれて生成される。
【００３５】
上記判定対象文書の４つのＩＣタグ３に書き込まれる電子データは、上記判定対象文書の元文書の文書画像データの上記サーバ２内の格納先情報と、当該判定対象文書の文書画像データの向き情報である。
【００３６】
なお、上記格納先情報、向き情報は、読取りにおけるデータの精度を考慮すると、ＩＣタグにて埋め込まれている構成が好ましいが、ＩＣタグに限らず、バーコード、二次元コード、電子透かし等にて埋め込まれている構成であってもよい。
【００３７】
ユーザは、改竄の恐れがある場合、上記判定対象文書を画像読取装置１にてスキャンして読取り（Ｓ１）、ＩＣリーダを備えた読取手段５は、多値の判定対象文書画像データを取得すると共に、ＩＣタグ３から、当該判定対象文書の元文書の文書画像データの格納先情報、及び向き情報を取得する（Ｓ２）。
【００３８】
上記のように読取手段５にて取得したデータのうち、多値の判定対象文書画像データは画像処理手段６に転送され、格納先情報、向き情報は制御手段７に転送される。
【００３９】
上記画像処理手段６は上記多値の判定対象文書画像データを取得すると、当該多値の判定対象文書画像データを２値化する画像処理を行う（Ｓ３）。
【００４０】
さらに、上記画像処理手段６は、２値の判定対象文書画像データから、特徴部分データを抽出し（Ｓ４）、抽出した２値の判定対象文書画像データの特徴部分データを判定手段８に渡す。
【００４１】
上記のように画像処理手段６が、２値の判定対象文書画像データの特徴部分データを判定手段８に渡すと、上記制御手段７は、既に取得している格納先情報に基づいて送受信手段９を制御し、当該送受信手段９、送受信手段１０を介して上記サーバ２に対し、多値の元文書の文書画像データの読出し要求を行う。
【００４２】
上記読出し要求を受けたサーバ２は、読出し要求のあった記憶手段１１内の格納先の多値の元文書画像データを読出し（Ｓ５）、当該読出した多値の元文書画像データを送受信手段９、送受信手段１０を介して上記画像処理手段６に送信する。
【００４３】
上記のように画像処理手段６が、多値の元文書画像データを取得すると、上記制御手段７は、既に取得している向き情報に基づいて上記画像処理手段６を制御し、当該画像処理手段６は、多値の元文書画像データを回転させて上記多値の判定対象文書画像データと向きを一致させる（Ｓ６）。
【００４４】
上記のように画像処理手段６は、多値の元文書画像データを回転させて上記多値の判定対象文書画像データと向きを一致させると、当該多値の元文書画像データを２値化する画像処理を行う（Ｓ７）。
【００４５】
さらに、上記画像処理手段６は、上記２値の元文書画像データから、特徴部分データを抽出し（Ｓ８）、抽出した２値の元文書画像データの特徴部分データを判定手段８に渡す。
【００４６】
上記のように判定対象部分画像データの特徴部分データと元文書画像データの特徴部分データを取得した判定手段８は、この２つの特徴部分データの各走査ライン毎の画素色が白黒反転しているエッジ部分を比較して、当該特徴部分データが一致するのか否かを判定する（Ｓ９）。
【００４７】
上記判定処理Ｓ９で、一致しないと判定した場合に、改竄が有ったものとみなし（Ｓ１０）、一致すると判定した場合に、改竄が無いとみなすこととなる（Ｓ１１）。
【００４８】
このようにすれば、判定対象文書に一体として埋め込まれた格納先の元文書の文書画像データと当該判定対象文書の文書画像データとを比較して、改竄の有無を判定する簡易な構成であるため、改竄判定処理の処理効率を向上させることができる。
【００４９】
また、向き情報に基づいて判定対象文書に対応する元文書の文書画像データと当該判定対象文書の文書画像データの向きを一致させることで、改竄判定処理の演算量を軽減できるため、改竄判定処理の処理効率をより向上させることができる。
【００５０】
また、比較データを２値化することで、改竄判定処理の演算量を軽減できるため、改竄判定処理の処理効率をさらに向上させることができる。
【００５１】
なお、上記実施の形態では、元文書画像データは、サーバ２内の記憶手段１１に格納されている構成で説明したが、サーバ２を設けずに、図４に示すように、画像読取装置１内に記憶手段１２を設けて、当該記憶手段１２に元文書画像データが格納されている構成としてもよい。この場合、記憶手段１２から元文書画像データを読出す構成とした画像読取装置１単体で、本発明を実現することも可能である。
【００５２】
また、上記実施の形態では、２値の文書画像データを比較する構成で説明したが、取得した２つの多値の文書画像データを２値化することなく多値のままで比較する構成としてもよい。
【００５３】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００５４】
判定対象文書に一体として埋め込まれた格納先の元文書の文書画像データと当該判定対象文書の文書画像データとを比較して、改竄の有無を判定する簡易な構成であるため、改竄判定処理の処理効率を向上した画像読取装置及び画像読取システムとして有用である。
【図面の簡単な説明】
【００５５】
【図１】本発明の実施の形態における画像読取システムを示す概略機能ブロック図である。
【図２】本発明の実施の形態における画像読取システムの動作を示すフロー図である。
【図３】判定対象文書の例を示す図である。
【図４】本発明の他の実施の形態における画像読取装置を示す概略機能ブロック図である。
【符号の説明】
【００５６】
１  画像読取装置
２  サーバ
３  ＩＣタグ
４  電子シート
５  読取手段
６  画像処理手段
７  制御手段
８  判定手段
９  送受信手段
１０  送受信手段
１１  記憶手段
１２  記憶手段
【図１】
2006237868.tif 000003
【図２】
2006237868.tif 000004
【図３】
2006237868.tif 000005
【図４】
2006237868.tif 000006